(57)【要約】【課題】品物の発注元と発注先との間で品物の設計に関するデータの受け渡しを円滑に行う。【解決手段】ＳＣＭサーバ１００の仕入先データベース内に仕入先が利用可能な図面データのデータ形式を登録しておく。仕入先はＳＣＭ端末２００からＳＣＭサーバ１００にアクセスして、図面データをダウンロードする。ＳＣＭサーバ１００が図面データをダウンロードする要求を受信すると、要求された図面データを読み出し、仕入先データベースから利用可能データ形式を読み出し、データ形式変換テーブルを検索して、仕入先で利用可能なデータ形式の中で、最も変換効率の高いデータ形式を１つ決定する。要求された図面データを決定されたデータ形式に変換して、ＳＣＭ端末２００に送信する。ＳＣＭサーバ１００は、図面データベースに図面データのダウンロードを要求した仕入先を記録する。【選択図】  図１
2004348673.tif 000002
【特許請求の範囲】
【請求項１】
部品の設計または製作に必要な設計データを提供し、クライアント装置と共有するための設計支援システムであって、
設計データを蓄積する蓄積手段と、
各クライアント装置においてどのような記録形式のデータを加工可能であるかを示す情報を記憶する形式記憶手段と、
設計データを、元の記録形式とは異なる記録形式の設計データに変換する形式変換手段と、
設計データの記録形式を判別する形式判別手段と、
クライアント装置からの設計データのダウンロード要求に応答して、要求された設計データを前記蓄積手段から読み出し、読み出した設計データの記録形式を前記形式判別手段に判別させ、この設計データの記録形式がこのクライアント装置の所望する記録形式と異なっていた場合は前記形式変換手段にこの設計データを変換させてこのクライアント装置の所望する記録形式とし、変換された設計データを送信する制御手段と、
を具備することを特徴とする設計支援システム。
【請求項２】
部品の設計または製作に必要な設計データを提供し、クライアント装置と共有するための設計支援システムであって、
設計データを蓄積する蓄積手段と、
各クライアント装置においてどのような記録形式のデータを加工可能であるかを示す情報を記憶する形式記憶手段と、
設計データを、元の記録形式とは異なる記録形式の設計データに変換する形式変換手段と、
設計データの記録形式を判別する形式判別手段と、
クライアント装置からの設計データのダウンロード要求に応答して、クライアント装置が所望する記録形式の入力を要求し、記録形式が入力されたことに応答して、要求された設計データを前記蓄積手段から読み出し、読み出した設計データの記録形式を前記形式判別手段に判別させ、この設計データの記録形式がこのクライアント装置の所望する記録形式と異なっていた場合は前記形式変換手段にこの設計データを変換させてこのクライアント装置の所望する記録形式とし、変換された設計データを送信する制御手段と、
を具備することを特徴とする設計支援システム。
【請求項３】
前記設計支援システムは、更に、
前記ダウンロード要求に応答して、前記ダウンロード要求を行ったクライアント装置の利用者を記録する記録手段を具備することを特徴とする請求項１又は請求項２に記載の設計支援システム。
【請求項４】
前記設計支援システムにおいて、
前記蓄積手段は、アップロードされた設計データを所定の記録形式に変換して蓄積する手段を更に具備することを特徴とする請求項１乃至請求項３の何れか１項に記載の設計支援システム。
【請求項５】
コンピュータを請求項１乃至請求項４の何れか１項に記載の設計支援システムとして機能させるためのプログラム。
【請求項６】
部品の設計または製作に必要な設計データを提供し、クライアントと共有するための設計支援方法であって、
設計データを蓄積する蓄積ステップと、
各クライアントにおいてどのような記録形式のデータを加工可能であるかを示す情報を記憶する形式記憶ステップと、
設計データを、元の記録形式とは異なる記録形式の設計データに変換する形式変換ステップと、
設計データの記録形式を判別する形式判別ステップと、
クライアントからの設計データのダウンロード要求に応答して、前記蓄積ステップで蓄積された設計データのうちから要求された設計データを読み出し、読み出した設計データの記録形式を前記形式判別ステップで判別させ、この設計データの記録形式がこのクライアントの所望する記録形式と異なっていた場合は前記形式変換ステップでこの設計データを変換させてこのクライアントの所望する記録形式とし、変換された設計データを送信する制御ステップと、
を備えることを特徴とする設計支援方法。
【請求項７】
部品の設計または製作に必要な設計データを提供し、クライアントと共有するための設計支援方法であって、
設計データを蓄積する蓄積ステップと、
各クライアントにおいてどのような記録形式のデータを加工可能であるかを示す情報を記憶する形式記憶ステップと、
設計データを、元の記録形式とは異なる記録形式の設計データに変換する形式変換ステップと、
設計データの記録形式を判別する形式判別ステップと、
クライアントからの設計データのダウンロード要求に応答して、クライアントが所望する記録形式の入力を要求し、記録形式が入力されたことに応答して、前記蓄積ステップで蓄積された設計データのうちから要求された設計データを読み出し、読み出した設計データの記録形式を前記形式判別ステップで判別させ、この設計データの記録形式がこのクライアントの所望する記録形式と異なっていた場合は前記形式変換ステップでこの設計データを変換させてこのクライアントの所望する記録形式とし、変換された設計データを送信する制御ステップと、
を備えることを特徴とする設計支援方法。
【発明の詳細な説明】
【０００１】
【発明の属する技術分野】
本発明は、設計支援システム、プログラムおよび設計支援方法に関し、特に発注先との間で図面データの連携を行いやすくするための設計支援システム、プログラムおよび設計支援方法に関する。
【０００２】
【従来の技術】
部品の製造を仕入先（部品の発注先）に依頼したり、発注元と仕入先との間で部品の製造に関する検討や提案を行うためには、通常、部品の設計図や関連する情報を仕入先に提供する必要がある。この設計図はＣＡＤ（Ｃｏｍｐｕｔｅｒ  Ａｉｄｅｄ  Ｄｅｓｉｇｎ）を利用した設計支援システムにより、図面データの形で作成されることが通例である。ＣＡＤで作成した図面データ等を仕入先とやり取りする手法としては、インターネット等の通信手段を介して行う手法が考えられる（例えば、特許文献１参照）。
【０００３】
【特許文献１】
特開２００２−２６９４０５号公報
【０００４】
【発明が解決しようとする課題】
しかし、上述の手法により部品の発注元と仕入先との間で部品の図面データ等をやり取りする場合、仕入先に提供される図面データ等は、仕入先において閲覧可能なフォーマット（データ形式）を有していなければ、仕入先では図面を参照することができず、発注元と仕入先との間での図面データ等の受け渡しが行えない、という問題がある。
【０００５】
また、図面データを受け取る仕入先の側でデータ形式の変換を行うことにより仕入先自身が閲覧可能なデータ形式にする、という手法も考えられる。しかしこの場合、仕入先の手間が増えるため、発注元と仕入先との間での図面データ等の受け渡しが円滑に行えない。
【０００６】
以上のような状況に鑑み、本発明は、品物の発注元と発注先との間で品物の設計に関するデータの受け渡しが円滑に行える設計支援システム、プログラム、および設計支援方法を提供することを目的とする。
【０００７】
【課題を解決するための手段】
本発明の第１の観点にかかる設計支援システムは、
部品の設計または製作に必要な設計データを提供し、クライアント装置と共有するための設計支援システムであって、
設計データを蓄積する蓄積手段と、
各クライアント装置においてどのような記録形式のデータを加工可能であるかを示す情報を記憶する形式記憶手段と、
設計データを、元の記録形式とは異なる記録形式の設計データに変換する形式変換手段と、
設計データの記録形式を判別する形式判別手段と、
クライアント装置からの設計データのダウンロード要求に応答して、要求された設計データを前記蓄積手段から読み出し、読み出した設計データの記録形式を前記形式判別手段に判別させ、この設計データの記録形式がこのクライアント装置の所望する記録形式と異なっていた場合は前記形式変換手段にこの設計データを変換させてこのクライアント装置の所望する記録形式とし、変換された設計データを送信する制御手段と、
を具備する。
【０００８】
このような構成により、利用者は設計データを変換する手間を省くことが可能となり、設計データの受け渡しが円滑になる。
【０００９】
本発明の第２の観点にかかる設計支援システムは、
部品の設計または製作に必要な設計データを提供し、クライアント装置と共有するための設計支援システムであって、
設計データを蓄積する蓄積手段と、
各クライアント装置においてどのような記録形式のデータを加工可能であるかを示す情報を記憶する形式記憶手段と、
設計データを、元の記録形式とは異なる記録形式の設計データに変換する形式変換手段と、
設計データの記録形式を判別する形式判別手段と、
クライアント装置からの設計データのダウンロード要求に応答して、クライアント装置が所望する記録形式の入力を要求し、記録形式が入力されたことに応答して、要求された設計データを前記蓄積手段から読み出し、読み出した設計データの記録形式を前記形式判別手段に判別させ、この設計データの記録形式がこのクライアント装置の所望する記録形式と異なっていた場合は前記形式変換手段にこの設計データを変換させてこのクライアント装置の所望する記録形式とし、変換された設計データを送信する制御手段と、
を具備する。
【００１０】
このような構成によっても、利用者は設計データを変換する手間を省くことが可能となり、設計データの受け渡しが円滑になる。
【００１１】
これらの設計支援システムは、更に、
前記ダウンロード要求に応答して、前記ダウンロード要求を行ったクライアント装置の利用者を記録する記録手段を具備することができる。
【００１２】
このような構成により、後で、設計データを受領したことが容易に確認でき、設計データの受け渡しがより円滑になる。
【００１３】
前記設計支援システムにおいては、
前記蓄積手段が、アップロードされた設計データを所定の記録形式に変換して蓄積する手段を更に具備するように構成してもよい。
【００１４】
これらのような構成により、設計データが更新されたことが通知されるため、設計データの受け渡しがより円滑になる。
【００１５】
本発明の第３の観点にかかるプログラムは、
コンピュータを前記設計支援システムとして機能させるためのプログラムである。
【００１６】
本発明の第４の観点にかかる設計支援方法は、
部品の設計または製作に必要な設計データを提供し、クライアントと共有するための設計支援方法であって、
設計データを蓄積する蓄積ステップと、
各クライアントにおいてどのような記録形式のデータを加工可能であるかを示す情報を記憶する形式記憶ステップと、
設計データを、元の記録形式とは異なる記録形式の設計データに変換する形式変換ステップと、
設計データの記録形式を判別する形式判別ステップと、
クライアントからの設計データのダウンロード要求に応答して、前記蓄積ステップで蓄積された設計データのうちから要求された設計データを読み出し、読み出した設計データの記録形式を前記形式判別ステップで判別させ、この設計データの記録形式がこのクライアントの所望する記録形式と異なっていた場合は前記形式変換ステップでこの設計データを変換させてこのクライアントの所望する記録形式とし、変換された設計データを送信する制御ステップと、
を備える。
【００１７】
本発明の第５の観点にかかる設計支援方法は、
部品の設計または製作に必要な設計データを提供し、クライアントと共有するための設計支援方法であって、
設計データを蓄積する蓄積ステップと、
各クライアントにおいてどのような記録形式のデータを加工可能であるかを示す情報を記憶する形式記憶ステップと、
設計データを、元の記録形式とは異なる記録形式の設計データに変換する形式変換ステップと、
設計データの記録形式を判別する形式判別ステップと、
クライアントからの設計データのダウンロード要求に応答して、クライアントが所望する記録形式の入力を要求し、記録形式が入力されたことに応答して、前記蓄積ステップで蓄積された設計データのうちから要求された設計データを読み出し、読み出した設計データの記録形式を前記形式判別ステップで判別させ、この設計データの記録形式がこのクライアントの所望する記録形式と異なっていた場合は前記形式変換ステップでこの設計データを変換させてこのクライアントの所望する記録形式とし、変換された設計データを送信する制御ステップと、
を備える。
【００１８】
【発明の実施の形態】
以下、本発明を、製品を構成する部品の金型を製作するための金型図面設計支援システムに適用した場合を例にして、図面を参照して説明する。
図１は、本発明の実施の形態にかかる金型図面設計支援システムの構成図である。図１に示すように、金型図面設計支援システムは、商品およびサービスの生産・供給活動を支援・管理するためのＳＣＭ（Ｓｕｐｐｌｙ  Ｃｈａｉｎ  Ｍａｎａｇｅｍｅｎｔ）システムの一部として構成される。金型図面設計支援システムは、ＳＣＭサーバ１００と、ＳＣＭ端末２００−１〜２００−ｎ（ｎはＳＣＭ端末の総数。以下単に、ＳＣＭ端末２００として示す。）とから構成される。
ＳＣＭサーバ１００とＳＣＭ端末２００とは、外部のネットワーク（例えば、インターネット等）およびイントラネットワーク等から通信ネットワークＣを介して接続されている。
【００１９】
図２はＳＣＭサーバ１００の構成を示したブロック図である。図２に示すように、ＳＣＭサーバ１００は、制御部１１０と、記憶部１２０と、通信部１３０と、入力部１４０と、出力部１５０とを備える。
制御部１１０は、中央処理装置（ＣＰＵ）、内部メモリ等により構成されており、後述する処理を実行する。
記憶部１２０はハードディスク装置やＲＡＭ（Ｒａｎｄｏｍ  Ａｃｃｅｓｓ  Ｍｅｍｏｒｙ）等より構成されており、ＷＷＷサーバプログラム１２１、ツール用ＣＧＩ１２２、ツールプログラム１２３、商品データベース（ＤＢ）１２４、図面データベース（ＤＢ）１２５、仕入先データベース（ＤＢ）１２６、データ形式変換テーブル１２７、等を格納する。
通信部１３０は、通信ネットワークＣを介して、ＳＣＭ端末２００と通信を行う。
入力部１４０は、キーボードやマウス等の入力装置から構成され、ＳＣＭサーバ１００の保守、商品ＤＢ１２４と、図面ＤＢ１２５と、仕入先ＤＢ１２６とに格納された内容のマニュアル更新、等のための操作に用いられる。
出力部１５０は、ディスプレイ装置やプリンタ等の出力装置から構成され、制御部１１０による各種処理の結果等を出力する。
【００２０】
ＷＷＷサーバプログラム１２１は、ＳＣＭ端末２００からＷｅｂアクセスを受け取り、受け取ったアクセスの内容に応じてＳＣＭサーバ１００が処理した結果をアクセス元のＳＣＭ端末２００に返すプログラムである。例えば、ＳＣＭ端末２００がツール用ＣＧＩ１２２を指すＵＲＬを指定してＳＣＭサーバ１００へのＷｅｂアクセスを行うと、ＷＷＷサーバプログラム１２１は、このＷｅｂアクセスを受け取り、ツール用ＣＧＩ１２２を起動するとともに、アクセス元のＳＣＭ端末２００における操作内容を示すデータをツール用ＣＧＩ１２２に渡す。そして、ツール用ＣＧＩ１２２が返した処理結果をアクセス元のＳＣＭ端末２００に送信する。
【００２１】
ツール用ＣＧＩ１２２は、ＷＷＷサーバプログラム１２１とツールプログラム１２３との間のインタフェースプログラムである。すなわち、ツール用ＣＧＩ１２２は、アクセス元のＳＣＭ端末２００における操作内容を示すデータをＷＷＷサーバプログラム１２１から受け取ると、受け取ったデータをツールプログラム１２３のインタフェースの形式に変換してツールプログラム１２３を呼び出す。そして、ツールプログラム１２３から処理結果を受け取り、その処理結果をＨＴＭＬ（Ｈｙｐｅｒ−Ｔｅｘｔ  Ｍａｒｋｕｐ  Ｌａｎｇｕａｇｅ）等のＷｅｂページ記述形式に変換した上でＷＷＷサーバプログラム１２１に渡す。
【００２２】
ツールプログラム１２３は、ＳＣＭ端末２００に提供するＳＣＭサーバとしての機能を実行するためのプログラムである。ツールプログラム１２３は、ツール用ＣＧＩ１２２から呼び出され、アクセス元のＳＣＭ端末２００における操作内容を示すデータを受け取ると、受け取ったデータに基づいて商品ＤＢ１２４と、図面ＤＢ１２５と、仕入先ＤＢ１２６との操作、等のＳＣＭツールとしての各種処理を行い、処理結果をツール用ＣＧＩ１２２に返す。個々の処理内容については後述する。
【００２３】
以下の説明においては、特に必要がなければ、ＷＷＷサーバプログラム１２１、ツール用ＣＧＩ１２２およびツールプログラム１２３の個々の動作を述べずに、ＳＣＭサーバ１００全体の動作として説明する。
【００２４】
商品ＤＢ１２４は、ＳＣＭサーバ１００により管理される商品およびサービスに関する情報および商品を製造、供給するための情報である。
商品ＤＢ１２４は、例えば、以下の（１）〜（７）で示されるような情報を含む。
（１）商品に関する情報
商品名、商品コード、商品群名、商品群コード、サイズ等の商品の属性に関する情報。
（２）調達に関する情報
商品として販売する製品の調達先（製造メーカや卸売業者、自社で製造の場合は製造工場）および各調達先の供給能力に関する情報。当該製品が自社生産の場合は、製品を構成する部品やその素材等の調達先やその部品を製造するために必要な図面、および部品の供給能力に関する情報を含む。
（３）製造に関する情報
商品として販売する製品を自社で製造する場合、製造工程に関する情報、および当該製品の部品およびその素材に関する情報。各製品毎の部品一覧に関する情報、各部品の部品コード、サイズ等の部品の属性に関する情報、各素材のコード、サイズ等の素材の属性に関する情報等を含む。
（４）販売に関する情報
各商品の販売実績に関する情報。
（５）発注に関する情報
各商品の発注量や発注時期等に関する情報。
（６）在庫に関する情報
商品として販売する製品、当該製品の部品およびその素材の在庫の量や期間等の情報。
（７）需要に関する情報
各商品の需要量の予測数値および実績を示す情報。
【００２５】
図面ＤＢ１２５は図面データに関する情報であり、後述する各種処理に従って更新される。図面ＤＢ１２５に格納される図面データは、以下で説明する部品番号をキーとして、商品ＤＢ１２４の（２）に記憶されている調達に関する情報と関連づけられている。
【００２６】
図面ＤＢ１２５は、例えば、以下の（あ）〜（お）で示されるような情報を示すデータ（設計データ）を含み、互いに関連づけられている。
（あ）部品に関する情報
部品番号・部品名・パス名・対応商品コード等の部品の属性に関する情報。
（い）件名
図面データの内容を端的に示した名前の情報。
（う）アクセス権限
図面データにアクセス可能な仕入先を設定した情報。仕入先ＤＢ１２６の（Ｅ）に格納される、仕入先の担当者の電子メールアドレスを含む。
（え）保存情報フラグ
図面データを保存したか否かを示す情報で、（う）アクセス権限が設定された利用者毎に存在する。
（お）関連情報
図面データに寄せられた意見・提案等の情報。関連情報は更に、部品に関する検討・提案の種類、図面データの登録日、部品に関する検討・提案内容、図面データの保存期間、検討・提案に関する回答の希望納期、及び図面データの配布先、検討者のユーザＩＤ、検討結果、部品の現状の仕様を最終版としてよいか否かを示す判定結果、及び、検討結果の配布先を示す情報を含んでいてもよい。
【００２７】
図３は図面ＤＢ１２５に蓄積される情報の例を示す図である。図３に示すように、図面ＤＢ１２５には部品毎にレコードが作成されていて、図面データを部品名等でグルーピングしている。各レコードには、当該部品の各バージョンの図面データを識別するためのパス名、および対応した各種情報が記録されている。パス名は、例えば、当該部品を表す部品番号の末尾にバージョンを表す文字（“Ａ”，“Ｂ”，．．．など）を付したものからなっていればよい。
【００２８】
仕入先ＤＢ１２６は仕入先に関する情報であり、ＳＣＭサーバ１００により管理される。
仕入先ＤＢ１２６は、例えば、仕入先が企業等の団体の一部署であるものとして、（Ａ）この仕入先（団体）の名称とそれに対応する仕入先識別子（仕入先コード）、（Ｂ）該当部署の名称と、（Ｃ）この仕入先で加工可能なデータ形式（フォーマット）の一覧と、（Ｄ）この部署に所属する仕入先側担当者の氏名と、（Ｅ）この担当者の電話番号やファクシミリ番号や電子メールアドレスと、（Ｆ）金型図面設計支援システムにアクセスするためのユーザＩＤとパスワードの組と、（Ｇ）アクセス可能な図面データに関する情報と、を互いに対応づけられた形で格納する。
仕入先ＤＢ１２６に格納された仕入先は、（Ａ）の仕入先識別子をキーとして、商品ＤＢ１２４の（２）に格納された調達に関する情報と関連づけられている。
【００２９】
データ形式変換テーブル１２７には、ツールプログラム１２３で取り扱う図面データがどのデータ形式であれば仕入先において図面データの加工が可能であるかを示すデータが、仕入先毎に格納されている。
【００３０】
図４はデータ形式変換テーブル１２７に格納された情報の例を示した図である。
図４においては、仕入先において図面データの加工が可能なデータ形式を示すデータが、当該仕入先を示す仕入先コードに対応付けて格納されている。すなわち図４は、例えば、仕入先コードが“１１１０４”である仕入先では、データ形式が“ＩＧＥＳ”又は“ＤＸＦ”である図面データの加工が可能であることを示している。
【００３１】
ＳＣＭ端末２００は、主として商品および当該商品を構成する部品の、供給管理、生産管理あるいは設計管理を行う人が操作する端末である。ＳＣＭ端末２００は、ＳＣＭサーバ１００に対するクライアント端末として動作し、キーボードおよびマウス等からなる入力装置と、液晶ディスプレイ等からなる表示装置と、プリンタ等を備える。
【００３２】
ＳＣＭ端末２００の上でＷＷＷブラウザが動作している。各端末の操作者はＷＷＷブラウザを操作することにより、ＳＣＭサーバ１００にアクセスしてＳＣＭサーバ１００に所望の機能を要求し、当該機能の提供を受ける。
すなわち、操作者がＷＷＷブラウザに対してＳＣＭサーバ１００のＵＲＬを指定すると、ＳＣＭ端末２００のＷＷＷブラウザはＳＣＭサーバ１００にアクセスする。アクセスされたＳＣＭサーバ１００において、ＷＷＷサーバプログラム１２１は所定画面のＷｅｂページをアクセス元のＳＣＭ端末２００に表示させるため、当該Ｗｅｂページを表すデータをそのＳＣＭ端末２００に送信する。
更に、アクセス元のＳＣＭ端末２００の操作者がＷＷＷブラウザに対して、ツール用ＣＧＩ１２２のＵＲＬを入力すると、ＷＷＷサーバプログラム１２１はツール用ＣＧＩ１２２を起動する。
【００３３】
なお、ＳＣＭサーバ１００のＵＲＬが指定されてＳＣＭサーバ１００がアクセスされた際に、あるいは、上記所定画面上のリンクをクリックされた際に、ＷＷＷサーバプログラム１２１が自動的にツール用ＣＧＩ１２２を起動するようにしてもよい。
【００３４】
ＳＣＭ端末２００がＳＣＭサーバ１００に供給したＵＲＬがツール用ＣＧＩ１２２のＵＲＬである場合、ＳＣＭサーバ１００はツール用ＣＧＩ１２２を実行する。この結果、ＳＣＭサーバ１００およびＳＣＭ端末２００は、以下に説明する動作を行う。
【００３５】
まず、社内の担当者がＳＣＭ端末２００を操作する場合について、図面を参照して説明する。
【００３６】
ツール用ＣＧＩ１２２を起動すると、ＳＣＭサーバ１００はまず、表示画面を決定するためのログイン画面（例えば、図５に示したような画面）を、ＳＣＭ端末２００に表示させる。すなわち、ＳＣＭサーバ１００は、選択用画面を表すデータを作成してＳＣＭ端末２００に供給し、ＳＣＭ端末２００は、ＳＣＭサーバ１００がこのデータを供給したことに応答して、自己に供給されたこのデータが表すログイン画面を、自己が備える表示装置の表示画面上に表示する。
【００３７】
図５に示したように、ログイン画面上には、ＩＤ入力フィールド３０１とパスワード入力フィールド３０２とが表示される。各利用者はＩＤ入力フィールド３０１とパスワード入力フィールド３０２とにそれぞれ、事前に設定され、通知されたユーザＩＤとそれに対応するパスワードを入力し、送信ボタン３０３をマウス等によりクリックする。（以下、この種の操作を単にボタンをクリックすると略記する。）
【００３８】
送信ボタン３０３がクリックされると、ＳＣＭ端末２００上のＷＷＷブラウザは、ＩＤ入力フィールド３０１とパスワード入力フィールド３０２とにそれぞれ入力された内容をＳＣＭサーバ１００に送信する。ＳＣＭサーバ１００は、受け取った名前およびパスワードが正当であることを確認する。次に、入力された文字列が社内向けの利用者に割り当てたユーザＩＤであるか、又は、仕入先に割り当てたユーザＩＤであるかを、入力された文字列が仕入先ＤＢ１２６の（Ｆ）に格納されたユーザＩＤに含まれるかどうかに基づいて判別する。ＳＣＭサーバ１００は、この名前が社内向けの利用者に割り当てたユーザＩＤであった場合は、選択用画面を表すデータをＳＣＭ端末２００に送信する。仕入先に割り当てたユーザＩＤであった場合は、図面一覧画面を表すデータをＳＣＭ端末２００に送信する。ＳＣＭ端末２００のＷＷＷブラウザは、送信されたデータを受け取り、そのデータが表す画面を自己の表示装置の画面に表示する。
【００３９】
なお、本実施形態の説明および参照する図面に示す各種表示画面において、本発明の説明に直接関係しない部分は、理解を容易にするために省略している。しかし、これらの表示画面がＳＣＭ端末２００に通常用いられるＧＵＩ（Ｇｒａｐｈｉｃａｌ  Ｕｓｅｒ  Ｉｎｔｅｒｆａｃｅ）を適宜有することは言うまでもない。
【００４０】
ログイン処理が終了すると、ＳＣＭ端末２００は利用者による後続の指示を受け付ける。すなわち、利用者がＳＣＭ端末２００を操作することにより指示を入力すると、ＳＣＭ端末２００のＷＷＷブラウザは、入力された指示を示す情報をＳＣＭサーバ１００に送信する。
【００４１】
入力された指示を示す情報を受け取った際、ＳＣＭサーバ１００は受け取った情報が示す指示に応じて新たにＳＣＭ端末２００に表示させる画面を決定し、決定した画面を表すＨＴＭＬ形式のＷｅｂページデータをＳＣＭ端末２００に送信する。ＳＣＭ端末２００のＷＷＷブラウザは、送信されたデータを受け取り、そのデータが表す画面を自己の表示装置の画面に表示する。
【００４２】
利用者により入力された指示が仕入先のリストを要求するものである場合、ＳＣＭサーバ１００がＳＣＭ端末２００に表示させる画面は、仕入先のリストを含んだものとなる。図６は、仕入先一覧画面を示す図である。図６に示すように、仕入先一覧画面は仕入先一覧３２１を含む。仕入先一覧３２１の作成は、例えば、ＳＣＭサーバ１００が仕入先ＤＢ１２６を検索して、（Ａ）から仕入先の名称、（Ｂ）から仕入先の部署の名称および（Ｄ）から担当者の氏名などの情報をすべて読み出し、読み出した情報が示す仕入先名が並べられた画面を表すＨＴＭＬ形式のデータを作成することにより行う。
【００４３】
更に、図６に示すように、仕入先一覧画面は仕入先を新規に登録するための新規登録ボタン３２２を含む。利用者が仕入先一覧画面の新規登録ボタン３２２をクリックすると、ＳＣＭサーバ１００はＳＣＭ端末２００に後述の仕入先登録画面を表示させる。
他にも、仕入先一覧画面は、画面左端の「詳細」、「図面」の２つのビュー３２４、３２５を含む。
【００４４】
図６において、仕入先一覧画面中の各仕入先名に付けられた下線は、当該仕入先名とその仕入先の詳細情報とを結びつけるハイパーリンクが施されていることを示す。ＳＣＭ端末２００の利用者が仕入先名の内の任意の１個をクリックすると、ＳＣＭサーバ１００は、クリックされた仕入先名に対応づけられた、仕入先に関する詳細な情報を表示するための仕入先情報画面をＳＣＭ端末２００に表示させる。
なお、仕入先情報画面は、仕入先一覧３２１の各行に設けられた詳細ボタンをクリックする、もしくは、仕入先名の何れか１つを選択した状態で仕入先一覧画面左側の「詳細」ビュー３２４をクリックしても、同様に仕入先情報画面に移行する。
【００４５】
図７は仕入先登録画面を示す図である。図７に示すように、仕入先登録画面は、登録する仕入先に割り当てるべき仕入先コード３３１と、この仕入先に関する仕入先情報３３２と、当該仕入先が利用可能なデータ形式を選択するためのプルダウンメニュー３３７と、新規なデータ形式を記入するための記入欄３３８Ａと、データ形式登録ボタン３３８Ｂと、入力完了を指示する入力完了ボタン３３９とを含む。仕入先情報３３２は登録する仕入先を特定するための情報である。仕入先コード３３１は、たとえばＳＣＭサーバ１００が、既存の仕入先の仕入先コード３３１と重複しないようにして自動的に割り当てればよい。
【００４６】
利用者は、登録する仕入先の仕入先名、部署名、住所、電話番号、仕入先側の担当者名を各々テキストボックス３３３〜３３６に入力し、プルダウンメニュー３３７が示すデータ形式のうちから当該仕入先が利用可能なデータ形式を選択した後、入力完了ボタン３３９をクリックする。すると、ＳＣＭ端末２００は指定された仕入先名、部署名、住所、電話番号、仕入先側の担当者名、データ形式名、ユーザＩＤ、および、入力完了ボタン３３９がクリックされたことを示す情報をＳＣＭサーバ１００に送信する。なお、プルダウンメニュー３３７が示すデータ形式のうちに当該仕入先が利用可能なものがない場合は、記入欄３３８Ａに利用可能なデータ形式を記入してデータ形式登録ボタン３３８Ｂをクリックすることにより新たなデータ形式をプルダウンメニュー３３７に追加し、その後プルダウンメニュー３３７を用いてこの新たなデータ形式を選択すればよい。
ＳＣＭサーバ１００は、仕入先名、部署名、住所、電話番号、担当者名、およびデータ形式名を受信すると、当該仕入先を識別するための仕入先識別情報を生成し、仕入先名、部署名、住所、電話番号、担当者名、生成された仕入先識別情報、およびデータ形式名を仕入先ＤＢ１２６に格納する。
【００４７】
一方、利用者により入力された指示が図面のリストを要求するものである場合、あるいは、仕入先情報画面に表示される図面ビューをクリックした場合は、ＳＣＭサーバ１００は、ＳＣＭ端末２００に図面一覧画面を表示させる。
【００４８】
図８を用いて、このＳＣＭ端末２００に図面一覧画面を表示させる処理について説明する。図８は図面データの一覧を作成する処理のフローチャートを示した図である。図８に示すように、ＳＣＭサーバ１００はまず、図面ＤＢ１２５を検索する。この時、仕入先が選択されたかどうかに応じて、選択されていない場合は、図面データの一覧の表示を要求したユーザに対してアクセスが許可された図面データを、選択された場合は、選択された仕入先に対してアクセスが許可された図面データを抽出する（ステップＳ１１）。そして、その抽出したデータに基づいて一覧表とその一覧表を含む図面一覧画面を作成し（ステップＳ１２）、ＳＣＭ端末２００に送信する。
【００４９】
図９は図面一覧画面を示す図である。図９に示すように、図面一覧画面は一覧表示エリア３５１と、表示ボタン３５２と、図面データを新規に登録するための新規登録ボタン３５３と、更新登録ボタン３５４とを含む。
他にも、図面一覧画面は、画面左端の「一覧」、「表示」、「新規登録」、「更新」、「アクセス制御」の５つのビュー３５５〜３５９を含む。
【００５０】
一覧表示エリア３５１に、図面データの図面名、部品番号、件名、保存状況が図面データ毎に表示される。
各行に表示ボタン３５２が配置されており、操作者がこの表示ボタン３５２をクリックすると、後述の検討・提案用画面に移行する。この検討・提案用画面には、件名の何れか１つを選択した状態で図面一覧画面左側の「表示」ビュー３５６をクリックしても移行する。
【００５１】
図面一覧画面の新規登録ボタン３５３をクリックすると、ＳＣＭ端末２００は、図面データの新規登録の要求がされた旨をＳＣＭサーバ１００に送信する。ＳＣＭサーバ１００は、ＳＣＭ端末２００に、図１０のような図面新規登録画面を表示させる。図１０に示すように、図面新規登録画面には、図面データ情報入力エリア３６１と、次に説明する図面アクセス制御設定画面に移行するための「次ページ」ボタン３６７とを含む。
【００５２】
利用者は登録する図面データの部品名、部品番号、ファイル名（すなわち、パス名）、対応機種（の商品コード：複数入力が可能）、件名を各々テキストボックス３６２〜３６６に入力し、「次ページ」ボタン３６７をクリックする。ＳＣＭ端末２００は入力された部品名、部品番号、パス名、対応機種、件名、および、「次ページ」ボタン３６７がクリックされたことを示す情報をＳＣＭサーバ１００に送信する。ＳＣＭサーバ１００は、部品名、部品番号、パス名、対応機種、件名を受信し、それぞれを記憶部１２０の図示しない一時記憶領域に格納する。ＳＣＭサーバ１００は図面アクセス制御設定画面のデータを作成し、ＳＣＭ端末２００に送信する。
【００５３】
図１１は図面アクセス制御設定画面の例を示した図である。図１１に示したように、図面情報表示エリア３７１に当該図面データの（あ）に格納された部品に関する情報が表示され、どの図面データにアクセス制御を設定しようとしているかを、利用者が認識できるようになっている。利用者はアクセス制御設定エリア３７２を操作することで、図面データ単位でアクセス権限を設定する。
既設定一覧３７３には当該図面へのアクセスが既に許可された仕入先がリスト形式で表示される。なお、この実施例においては、社内の各関連部署はすべての図面データにアクセスできるようになっているが、これらの関連部署に対してアクセス権限を設定できるように構成可能である。
【００５４】
アクセスを許可したい仕入先を追加したい場合には、追加ボタン３７４をクリックする。すると、仕入先一覧から任意の仕入先を選択するための画面（図示無し）が表示される。利用者が仕入先を選択すると、既設定一覧３７３の表示内容が更新される。
また、既設定一覧３７３に表示された仕入先を選択して、削除ボタン３７５を選択すると、同様に既設定一覧３７３の表示内容が更新される。
【００５５】
最後に、入力完了ボタン３７６をクリックすると、ＳＣＭ端末２００は図面アクセス制御設定画面で入力された、アクセスを許可した仕入先に関する情報をＳＣＭサーバ１００に送信する。
【００５６】
図１２は図面データ登録処理の概要を示したフローチャートである。図１２に示したように、ＳＣＭサーバ１００はまず、一時記憶しているパス名に示されたファイルを複製し、所定の命名規則により付与されたパス名に保存する。そして、一時記憶されている部品名、部品番号、対応機種、件名、アクセスが許可された仕入先に関する情報、および所定の命名規則により付与されたパス名を、設計データを構成するものとして図面ＤＢ１２５に格納する（ステップＳ２１）。次に、アクセス権限を設定するため、（え）に格納された保存情報フラグをすべての仕入先に対してフラグを保存していないことを示す状態に設定する（ステップＳ２２）。
【００５７】
そして、ＳＣＭサーバ１００は、図面ＤＢ１２５から、その図面データに対してアクセスが許可された仕入先を抽出する。そして、（う）に格納された電子メールアドレスを読み出して、それらの仕入先および社内の各関連部署に、新しい図面が記録され、閲覧（およびダウンロード）可能な状態におかれた旨の電子メールを送信する。（ステップＳ２３）。
【００５８】
この電子メールの文例を図１３に示す。図１３に示すように、文中にはＳＣＭサーバ１００にアクセスするためのＵＲＬへのリンクが記されている。ＳＣＭ端末２００上のＷＷＷブラウザに対してこのＵＲＬを指定すると、上述したように、ログイン画面がＳＣＭ端末２００に表示される。
【００５９】
以上の各ステップの処理により、新しい図面データに関する情報がＳＣＭサーバ１００に登録され、関連する仕入先に新しい図面が登録された旨が電子メールにより通知される。
【００６０】
なお、図面アクセス制御設定画面には、図９で示された図面一覧画面の左側に配置されたアクセス制御ビュー３５９をクリックすることによっても移行する。
【００６１】
図９に戻り、図面一覧画面において、件名を選択し更新登録ボタン３５４あるいは「更新」ビュー３５８をクリックすると、ＳＣＭ端末２００は、選択された件名の情報と、更新登録の要求がされた旨をＳＣＭサーバ１００に送信する。ＳＣＭサーバ１００は、選択された件名に対応した図面更新登録画面を作成し、ＳＣＭ端末２００にその図面更新登録画面を表示させる。
【００６２】
図１４は、図面更新登録画面の例である。図１４に示すように、図面更新登録画面は、図面情報表示エリア３８１、件名入力エリア３８２、更新ファイル名入力エリア３８３、および入力完了ボタン３８４を含む。件名入力エリア３８２には、更新前の件名が予め入力された状態になっている。
利用者は件名入力エリア３８２に件名を入力し、更新ファイル名入力エリア３８３に更新された図面データを保存しているファイル（パス）名を入力し、入力完了ボタン３８４をクリックする。すると、ＳＣＭ端末２００は件名入力エリア３８２、更新ファイル名入力エリア３８３に入力された、件名およびパス名と、入力完了ボタン３８４がクリックされたことを示す情報、およびユーザＩＤをＳＣＭサーバ１００に送信する。
ＳＣＭサーバ１００は、件名と、パス名とユーザＩＤ、および図面更新登録画面において入力完了ボタン３８４がクリックされたことを示す情報を受信すると、更新登録処理を実行する。
【００６３】
図１５は既存の図面データに関する更新登録処理の概要を示したフローチャートである。図１５に示したように、ＳＣＭサーバ１００はまず、更新しようとする図面データのパス名から所定の命名規則により得られた新しいパス名に送信されたパス名に存在するファイルを複製して格納する。そして、更新された図面データに関する設計データ（（あ）〜（お）に関する情報）を更新対象である図面データと関連づけて、図面ＤＢ１２５に、格納する（ステップＳ３１）。ここで、（う）に格納されたアクセス権限は、更新される図面データのアクセス権限と同一に設定される。次に、更新された図面データの（え）の保存情報フラグは送信されたユーザＩＤのフラグのみ保存した状態に設定し、そのユーザ以外のフラグは保存していない状態に設定する（ステップＳ３２）。
そして、ＳＣＭサーバ１００は、図面ＤＢ１２５から、その図面データに対してアクセスが許可された仕入先を抽出する。そして、（う）に格納された電子メールアドレスを読み出して、それらの仕入先および社内の各関連部署に、既存の図面が更新され、閲覧可能な状態におかれた旨の電子メールを送信する。（ステップＳ３３）。
【００６４】
以上のような処理により図面データが登録あるいは更新されたことが電子メールにより通知されるので、図面データが登録あるいは更新されたことを周知させる作業が簡略化される。
【００６５】
再び図９に戻り、図面一覧画面において、各件名に付された下線は検討・提案用画面へのハイパーリンクが施されている。利用者は、例えば、図面一覧画面においてこのハイパーリンクをクリックすることにより、検討・提案用画面に移行することができる。
【００６６】
図１６は、検討・提案用画面の一例である。ＳＣＭサーバ１００は指定された図面データを（あ）に格納されたパス名から呼び出し、また、それに関連づけられた図面ＤＢ１２５中の（え）の保存情報フラグと（お）の関連情報とを読み出してＳＣＭ端末２００に送信する。更に、図面データは一時記憶領域に格納する。
【００６７】
図１６に示すように、検討・提案用画面は、例えば部品番号、部品名、部品に関する検討・提案の種類、件名、検討用の図面データの登録日、部品に関する検討・提案内容、図面データの名称、図面データの保存期間、検討・提案に関する回答（検討結果）の希望納期、及び図面データの配布先を示す文字列３９１Ａ〜３９１Ｊを含み、また、受領ボタン３９２を含む。また、検討・提案用画面は、検討者のユーザＩＤ、検討結果、部品の仕様の判定結果、及び、検討結果の配布先を入力するための検討者用記入エリア３９３Ａ〜３９３Ｄを含んでいる。
【００６８】
図１７は図面ダウンロード処理の概要を示したフローチャートである。図１７に示したように、まず、図面一覧画面において検討・提案用画面へのハイパーリンクがクリックされるなどすると、ＳＣＭサーバ１００は上述のように、指定された図面データや保存情報フラグや関連情報を読み出してＳＣＭ端末２００に送信し、ＳＣＭ端末２００は、図１６に示したような検討・提案用画面に移行する（ステップＳ４１）。
【００６９】
そして、検討・提案用画面で利用者が受領ボタン３９２をクリックして、図面データの受領を要求すると（ステップＳ４２）、ＳＣＭ端末２００は受領ボタン３９２がクリックされた旨の情報をＳＣＭサーバ１００に送信する。
【００７０】
ＳＣＭサーバ１００はこの情報を受け取ると、受領要求を行った利用者のユーザＩＤに関する情報をＳＣＭ端末２００から受信する。そして、仕入先ＤＢ１２６からそのユーザＩＤに対応した仕入先の（Ｃ）に格納された、データ形式に関する情報を抽出し、ダウンロード対象となっている図面データのデータ形式がそのデータ形式に関する情報に含まれる何れか１つのデータ形式と同一であるかどうかを判別する（ステップＳ４３）。
【００７１】
ステップＳ４３の判別の結果、データ形式が一致せずデータ形式変換が必要であると判別された場合は（ステップＳ４３：Ｙｅｓ）、一時的な記憶領域に格納しておいた当該図面データの、データ形式を仕入先が所望するデータ形式の何れかに変換する（ステップＳ４４）。すなわち、データ形式変換テーブル１２７を検索し、仕入先が所望するデータ形式の何れかのデータ形式へと図面データを変換する。
【００７２】
なお、適用可能なデータ形式が複数ある場合、これらのデータ形式のうちからひとつを選ぶ基準は任意であり、例えば、最も変換効率の高いデータ形式へと変換するようにすればよい。あるいは、複数の適用可能なデータ形式のうち優先的に適用されるべきものをあらかじめ指定しておき、指定された当該データ形式を優先的に選ぶようにしてもよい。優先的に適用されるべきデータ形式を指定する情報は、例えばデータ形式変換テーブル１２７にあらかじめ格納しておけばよい。
【００７３】
一方、ステップＳ４３の判別の結果、データ形式が一致した場合は（ステップＳ４３：Ｎｏ）、ステップＳ４４の処理を行わず、ステップＳ４５の処理に移る。ステップＳ４５でＳＣＭサーバ１００は、データ形式変換が済んだ図面データをＨＴＴＰ（Ｈｙｐｅｒ−Ｔｅｘｔ  Ｔｒａｎｓｆｅｒ  Ｐｒｏｔｏｃｏｌ）に従って送信（転送）する。この結果、ＳＣＭ端末２００による図面データのダウンロードが行われる。そしてＳＣＭサーバ１００は、ダウンロード対象となった図面ファイルが利用者により保存されたことを記録するために、図面ＤＢ１２５の（え）に格納された保存情報フラグの内、その利用者に対応するフラグを、保存したことを示す状態に更新する。
【００７４】
一方、図面データのダウンロードが完了すると、ＳＣＭ端末２００の利用者は、例えば図示しないＣＡＤプログラムをＳＣＭ端末２００又は他のコンピュータ等に実行させることにより、この図面データが表す図面を閲覧して、この図面が表す部品についての検討を行い、提案内容を決める（ステップＳ４６）。そして、ステップＳ４１で表示された検討・提案用画面の検討者用記入エリア３９３Ａ〜３９３Ｄに、検討者のユーザＩＤ、検討結果、判定結果、及び検討結果の配布先を入力し、ＳＣＭ端末２００を操作して、検討・提案用画面の内容の返送を指示する。すると、ＳＣＭ端末２００は検討者用記入エリア３９３Ａ〜３９３Ｄに入力された情報（すなわち、検討者のユーザＩＤ、検討結果、判定結果及び配布先）と、元の検討・提案用画面に含まれている（あ）の部品に関する情報とを、ＳＣＭサーバ１００に送信する（ステップＳ４７）。
【００７５】
ＳＣＭサーバ１００はこの情報を受け取ると、受け取った情報に含まれる（あ）の情報を図面ＤＢ１２５より検索する。そして、ＳＣＭ端末２００より受け取った情報のうち検討者用記入エリア３９３Ａ〜３９３Ｄに入力された情報を、検索の結果見つかった（あ）の情報と関連づけられている（お）の情報に追加する（ステップＳ４８）。
【００７６】
このように発注元と仕入先とが共通のフォームとして検討・提案用画面を用いて検討・提案の結果を双方向的に交換することにより、発注元−仕入先間で効率よく情報の共通化が行える。
【００７７】
なお、図９に示した図面一覧画面にダウンロードボタンを設け、このボタンをクリックした際に、該当する図面データをダウンロードできるように構成してもよい。
【００７８】
次に、仕入先に設置されたＳＣＭ端末２００からＳＣＭサーバ１００にアクセスした場合について説明する。
【００７９】
ＳＣＭ端末２００から所定のＵＲＬにアクセスすると、社内からのアクセスと同じように、図５で示されたようなログイン画面が表示される。利用者は、ユーザＩＤをＩＤ入力フィールド３０１に、パスワードをパスワード入力フィールド３０２に入力し、送信ボタン３０３をクリックする。すると、上述したように、ＳＣＭ端末２００からユーザＩＤと、パスワードが送信される。そして、ＳＣＭサーバ１００は、受け取ったユーザＩＤ及びパスワードが正当であることを確認する。最後に、送信されたユーザＩＤからアクセスしてきた仕入先を判別し、図面ＤＢ１２５を検索して、その仕入先がアクセス可能な図面だけを抽出し、図１８に示すような図面一覧画面を表示させる。
【００８０】
図１８に示したこの図面一覧画面は、図９で示した図面一覧画面と似ているが、例えば、画面左側に表示されるメニューが若干異なっている。このような処理内容および画面構成により、社内と仕入先でアクセスできる情報の内容に差を付けることが可能となり、適切なアクセス制御が実現される。
【００８１】
なお、一覧表示エリア４０１および表示ボタン４０２の意味付けと、表示ボタン４０２、表示タブ３５６、および更新タブ３５８をクリックした際の処理内容は図９で既に説明した内容と同一であるので、ここでは説明を省略する。
【００８２】
以上、詳細に説明したように、本発明によれば、利用者が図面データをダウンロードする際に所望のデータ形式に変換された図面データを受け取ることが可能となる。また、図面データをどの利用者がダウンロードしたかを記録することも可能である。
【００８３】
なお、本発明は上記の実施の形態に限定されず、種々の変形および応用が可能である。
例えば、図面データが更新される度にその旨を通知するのではなく、前回の通知から、図面の新規登録件数と更新件数の合計が所定の件数（例えば、１０件）を超えたか、もしくは一定の時間（例えば、２４時間）が経過する度にまとめて仕入先に通知するようにしてもよい。
なお、電子メールで通知するＵＲＬを、当該図面データを表示させるための検討・提案用画面へリンクさせるＵＲＬとしても構わない。また、図面データに対するコメントが登録されるとその旨を電子メールで通知するようにしてもよい。
【００８４】
また、図面データを新規に登録する場合、あるいは更新登録する場合に、社内での利用が好適となるように当該図面データのデータ形式を変換するようにしても構わない。
また、検討・提案用画面において、受領ボタン３９２をクリックしたときに、保存するデータ形式を選択させるダイアログを表示させ、図面データのデータ形式を選択されたデータ形式に変換してＳＣＭ端末２００に送信するように構成してもよい。
【００８５】
また、図面ＤＢ１２５に社内の各関連部署あるいは仕入先が閲覧したかどうかを示すフラグを設けてもよい。
【００８６】
また、例えば、該プログラムを、通信ネットワークに接続された掲示板（Ｂｕｌｌｅｔｉｎ  Ｂｏａｒｄ  Ｓｙｓｔｅｍ、ＢＢＳ）に掲示し、もしくは、ＦＴＰ（Ｆｉｌｅ  Ｔｒａｎｓｆｅｒ  Ｐｒｏｔｏｃｏｌ）サーバに蓄積し、これを通信回線を介して配信してもよい。また、該プログラムを表す信号により搬送波を変調し、得られた変調波を伝送し、この変調波を受信した装置が変調波を復調して該プログラムを復元するようにしてもよい。また、例えば、ＳＣＭサーバ１００のソフトウェアがＡＳＰ（Ａｐｐｌｉｃａｔｉｏｎ  Ｓｅｒｖｉｃｅ  Ｐｒｏｖｉｄｅｒ）によって提供される構成であってもよい。
そして、このプログラムを起動し、オペレーティングシステム（Ｏｐｅｒａｔｉｎｇ  Ｓｙｓｔｅｍ、ＯＳ）の制御下に、他のアプリケーションプログラムと同様に実行することにより、上述の処理を実行する構成にしてもよい。
【００８７】
ＯＳが処理の一部を分担する場合、あるいは、ＯＳが本願発明の構成要素の一部を構成するような場合には、記録媒体にその部分を除いたプログラムを格納してもよい。この場合においても、その記録媒体には、コンピュータが実行する各機能又はステップを実行するためのプログラムが格納されているものとする。
【００８８】
また、商品ＤＢ１２４、図面ＤＢ１２５、仕入先ＤＢ１２６、データ形式変換テーブル１２７、等がＳＣＭサーバ１００とは別の場所に設置され、ＳＣＭサーバ１００が通信ネットワークを介してこれらのＤＢ等をアクセスするように構成してもよい。
【００８９】
また、記憶部１２０の複製を用意し、社内からのアクセスに対しては、ＳＣＭサーバ１００は記憶部１２０に格納された情報を参照し、仕入先からのアクセスに対しては、この複製に格納された情報を参照するようにする。そして、ＳＣＭサーバ１００は、記憶部１２０とこの複製との間で情報の一貫性が保たれるように制御するように構成してもよい。
【００９０】
【発明の効果】
以上説明したように、本発明によれば、品物の発注元と発注先との間で品物の設計に関するデータの受け渡しが円滑に行える設計支援システム、プログラムおよび設計支援方法が実現できる。
【図面の簡単な説明】
【図１】本発明の実施の形態にかかる金型図面設計支援システムの構成を示す構成図である。
【図２】図１中のＳＣＭサーバの構成を示すブロック図である。
【図３】図２中の図面データベースに蓄積される情報の例を示す図である。
【図４】図２中のデータ形式変換テーブルに蓄積される情報の例を示す図である。
【図５】図１中のＳＣＭ端末が図３中のＷＷＷサーバプログラムにアクセスしたときに、表示されるログイン画面の一例である。
【図６】図１中のＳＣＭサーバがＳＣＭ端末に表示させる仕入先一覧画面の例である。
【図７】図１中のＳＣＭサーバがＳＣＭ端末に表示させる仕入先登録画面の例である。
【図８】図９の図面一覧画面に表示するための図面データの一覧を作成する処理を示したフローチャートである。
【図９】図１中のＳＣＭサーバがＳＣＭ端末に表示させる図面一覧画面の一例である。
【図１０】図１中のＳＣＭサーバがＳＣＭ端末に表示させる図面新規登録画面の例である。
【図１１】図１中のＳＣＭサーバがＳＣＭ端末に表示させる図面アクセス制御設定画面の例である。
【図１２】新規に図面データを図２中の図面データベースに登録する処理に関するフローチャートを示した図である。
【図１３】図１２のフローチャート中の電子メールを送信する処理においてユーザに送信する電子メールの文例を示した図である。
【図１４】図１中のＳＣＭサーバがＳＣＭ端末に表示させる図面更新登録画面の例である。
【図１５】既存の図面データを図２中の図面データベースに更新して登録する処理に関するフローチャートを示した図である。
【図１６】図１中のＳＣＭサーバがＳＣＭ端末に表示させる検討・提案用画面の例である。
【図１７】図１２の処理において図面データをダウンロードする処理に関するフローチャートを示した図である。
【図１８】図１中のＳＣＭサーバがＳＣＭ端末に表示させる図面一覧画面の一例である。
【符号の説明】
１００  ＳＣＭサーバ
１１０  制御部
１２０  記憶部
１２１  ＷＷＷサーバプログラム
１２２  ツール用ＣＧＩ
１２３  ツールプログラム
１２４  商品データベース
１２５  図面データベース
１２６  仕入先データベース
１２７  データ形式変換テーブル
１３０  通信部
１４０  入力部
１５０  出力部
２００−１、２００−２、２００−３、・・・、２００−ｎ  ＳＣＭ端末
【図１】
2004348673.tif 000003
【図２】
2004348673.tif 000004
【図３】
2004348673.tif 000005
【図４】
2004348673.tif 000006
【図５】
2004348673.tif 000007
【図６】
2004348673.tif 000008
【図７】
2004348673.tif 000009
【図８】
2004348673.tif 000010
【図９】
2004348673.tif 000011
【図１０】
2004348673.tif 000012
【図１１】
2004348673.tif 000013
【図１２】
2004348673.tif 000014
【図１３】
2004348673.tif 000015
【図１４】
2004348673.tif 000016
【図１５】
2004348673.tif 000017
【図１６】
2004348673.tif 000018
【図１７】
2004348673.tif 000019
【図１８】
2004348673.tif 000020